(57)【要約】      （修正有）【課題】罠で捕獲した有害獣を、安全且つ簡単に生け捕りにする有害獣電撃捕獲器を提供する。【解決手段】電極針ガイド可動部５、電極部保護カバー２、スポンジ台３、スポンジ４の一体になっている部分が、対象物に当たって押されることにより、電極針Ａ７・Ｂ７が突き出て、電極針Ａ７が対象物に刺さる構造を有し、電撃電気供給部のトランス（変圧器）によって、捕獲した有害獣に最適な電撃電圧を与え生け捕りにできる有害獣電撃捕獲器。【選択図】図２
2016214143.tif 000002
【特許請求の範囲】
【請求項１】
電撃棒（１）の先端電極部の、電極針ガイド可動部（５）・電極部保護カバー（２）・
スポンジ台（３）・スポンジ（４）の一体になっている部分が、
対象物に当たって押されることにより、電極針（７）Ａ・Ｂが出て、
その出た針が対象物に刺さる構造を有する電撃棒（１）。
【請求項２】
電撃棒（１）の先端にスポンジ等の吸水性の物を取り付けて、
導電性の良い液体が浸み込むようにした構造を有する電撃棒（１）。
【請求項３】
電撃電気供給部のトランス（変圧器）（１８）の１次側交流電圧を
交流電圧調整器（１７）等の交流電圧が可変できる装置で変化させることによって、
２次側の交流電圧を変化させ、電撃電圧を調整する構成よりなる電撃電気供給部。
【発明の詳細な説明】
【技術分野】
【０００１】
本発明は罠で捕獲した有害獣を、安全且つ簡単に電撃を与えて、
生け捕りにする、有害獣電撃捕獲器の構造に関するものである。
【背景技術】
【０００２】
竿の先端の電極の針が露出している。
バッテリーの直流電圧を昇圧して、交流電圧を得ている。
【先行技術文献】
【特許文献】
【０００３】
【特許文献１】特開２０１５−０８４７２８号公報
【非特許文献】
【０００４】
【非特許文献１】なし
【発明の概要】
【発明が解決しようとする課題】
【０００５】
（イ）リード線が竿に沿っている。
（ロ）電極の先端が露出している。
（ハ）有害獣の毛や皮は電気を通しにくい。
(ニ）捕獲した有害獣は殆んど鉄砲で撃つか、
槍状の棒で突く等の方法て殺している。
【課題を解決するための手段】
【０００６】
本方式は、図１の電撃棒（１）の中に電撃電気供給線（１１）を通し、
図２の電極針固定台（６）に固定されている電極針（７）Ａ・Ｂに
電撃電気供給線（１１）を接続している。
電極針（７）Ａ・Ｂは、図２の電極針ガイド可動部（５）が
可動部押し出しスプリング（９）によって押し上げられているので、
電極針ガイド可動部（５）の中に、電極針（７）Ａ・Ｂの先端が入っている。
この状態で有害獣を突くと、電極部保護カバー（２）が押されてへこみ、
電極針固定台（６）に固定されている電極針（７）Ａ・Ｂが図３のように飛び出し、
そのまま有害獣に刺さり、通電している電極針（７）Ａ・Ｂ間の
交流電圧によって電撃を与える。
スポンジ（４）は導電性の良い液体を浸み込ませる。
電撃棒（１）の電極部は、上から見ると図４の位置関係にある。
電撃電気供給部は図５の回路構成よりなる。
バッテリー（１４）より、リレー（１５）を介してＤＣ→ＡＣインバーター（１６）に
接続する。
インバーター出力は、交流電圧調整器（１７）に接続。交流電圧調整器の交流出力は
トランス（変圧器）（１８）の１次側に接続し、２次側からの交流出力が
コネクター（１３）Ａ・Ｂを通って電極針（７）Ａ・Ｂに電撃電気として供給している。
以上の構成よりなる、有害獣電撃捕獲器である。
【発明の効果】
【０００７】
本発明は、電撃棒の中に電撃電気供給線が入っているので、線を引っかけたりしない。
通常電極針の先端は、電極部保護カバーの中に入った状態なので、障害物によって
曲がったり、針の先端が誤って刺さる事のない、怪我をしない安全構造である。
スポンジに導電液を浸み込ますことにより、毛や皮に導電液が付着し電気抵抗が
低下して電気が流れやすくなり、電撃効果が上がる。
電撃電気供給部は、交流を使用し、交流電圧調整器をトランス（変圧器）の１次側に
入れることで、２次側出力の交流電圧を幅広く調整できる。
よって有害獣を殺すのではなく、電撃電圧を幅広く自由に設定できるので
捕獲した有害獣に、最適な電撃電圧を与え、動けなくして生け捕りにできる。
電源の入り切りはバッテリーの次にリレーを介して入り切りする。
リレーコイルはバッテリー電圧と電撃棒の押しボタンスイッチにより、
入り切りしているので非常に安全である。
【図面の簡単な説明】
【０００８】
【図１】本発明の構成を示す全体図。
【図２】電極部の構造を示した断面図。
【図３】電撃動作時の電極部の構造を示した断面図。
【図４】電極部の位置関係を示した上面図。
【図５】電撃電気供給部の全体構成を示した回路図。
【発明を実施するための形態】
【０００９】
本発明の実施形態を図面に基づき説明する。
（イ）電撃棒（１）は図１のコネクター（１３）Ｂより電撃電気供給線（１１）が
接続されている。
コネクター（１３）Ｂから後は電撃棒（１）の中を通って
図２の電極針（７）Ａ・Ｂに接続されている。
（ロ）電撃棒（１）の先端の電極部は、図２・図３に示すような構造になっている。
動作を説明する。電極針ガイド可動部（５）が、
可動部押し出しスプリング（９）によって先端の向きに押し上げられているので、
電極針（７）Ａ・Ｂの先端は図２に示すように、へこんだ状態になる。
次に電撃棒を目標物に押し当てると、電極針ガイド可動部（５）と一体になっている
部分が押されて、可動部押し出しスプリング（９）が縮む。同時に電極針（７）Ａ・Ｂは
電撃棒（１）に固定されているので、図３に示すようにスポンジ（４）から先端が
突き出て、そのまま目標物に突き刺さると同時に、電撃電気供給線の
交流電気により電撃が加わる。
（ハ）スポンジには導電性の良い液体が浸み込ませてあるので、毛や皮が
液で濡れると電気抵抗が低下して、電気が流れやすくなり、電撃効果が上がる。
（ニ）電撃電気供給回路は、図５に示すようになっている。
バッテリーからＤＣ１２Ｖをリレー（１５）を介して、
ＤＣ→ＡＣインバーター（１６）に供給し、交流変換されたインバーター出力は
交流電圧調整器（１７）に供給する。
交流電圧調整器（１７）の出力は、トランス（変圧器）（１８）の１次側に供給する。
トランスの２次側出力はコネクター（１３）Ａを通って電撃電気供給線（１１）を通り、
電撃棒のコネクター（１３）Ｂを通って、電極針（７）Ａ・Ｂに電撃電気として送る。
交流電圧調整器（１７）は交流出力電圧を変えられるので、
接続しているトランス（変圧器）（１８）の１次側電圧も変化する。
当然トランスの２次側電圧も変化します。この変化する電圧を電撃電気として
供給しているので、電撃に最適な電撃電圧に設定できる。
（ホ）電源の入り切りは電撃電気供給線に４芯を使用して電撃電気供給と
押しボタンスイッチ回路とに２芯づつを使用する。押しボタンスイッチを押すと
リレーコイル（２０）に通電してリレー（１５）がオンとなって、電源が入る。
電撃電気供給部は１つのケースに納めて組み立てて、配線をする。
本発明は以上の構成よりなる。
【実施例】
【００１０】
本発明を使用する場合は、罠で捕獲された有害獣に向けて電撃棒（１）を近づけて、
先端のスポンジが有害獣に接触する２〜３秒前に電撃電気押しボタンスイッチを押す。
リレー（１５）が動作して、電撃電気供給部より電撃用の交流電圧が出力され、
電極ピン（１７）Ａ・Ｂ間に交流電圧が加わり、有害獣に接触すると電撃を与える。
電撃を与えられた有害獣は倒れるので、それを捕獲する。
【符号の説明】
【００１１】
１  電極棒
２  電極部保護カバー
３  スポンジ台
４  スポンジ
５  電極針ガイド可動部
６  電極針固定台
７  電極針
８  可動部ストッパー棒
９  可動部押し出しスプリング
１０  固定台取り付けねじ
１１  電撃電気供給線
１２  電撃電気押しボタンスイッチ
１３  コネクター
１４  バッテリー
１５  リレー
１６  ＤＣ→ＡＣインバーター
１７  交流電圧調整器
１８  トランス（変圧器）
１９  電撃電気供給部
２０  リレーコイル
【図１】
2016214143.tif 000003
【図２】
2016214143.tif 000004
【図３】
2016214143.tif 000005
【図４】
2016214143.tif 000006
【図５】
2016214143.tif 000007